(57)【特許請求の範囲】
【請求項１】
おむつを収容し得る大きさを有する本体部と、
本体部から両側方にむかってそれぞれ延びていて、内側にそれぞれ折り返すことによっておむつを押さえる押さえ部と
を備えており、
前記本体部は、前記おむつの一面をカバーすることができる被覆布部と、
この被覆布部の少なくとも一部の周縁部に沿って配置され、前記被覆布部との間におむつの周縁部を挟んで支持する支持布部と
を有していて、
前記被覆布部は、おむつカバーの少なくとも上縁部を含む縁部において、継ぎ目が生じないように、この縁部を回り込んで配置されていることを特徴とする、おむつカバー。
【請求項２】
おむつカバーを展開した状態において、
両方の側縁部が、前記被覆布部と前記支持布部とによって、袋状に構成されていることを特徴とする、請求項１に記載のおむつカバー。
【請求項３】
おむつカバーを展開した状態において、
前記支持布部が、その下端付近の隅部において開放されている
ことを特徴とする、請求項１に記載のおむつカバー。
【請求項４】
おむつカバーを展開した状態において、
前記支持布部の下端付近は、そのほぼ中央部が左右に開閉されるように
構成されていることを特徴とする、請求項１に記載のおむつカバー。
【請求項５】
おむつカバーを展開した状態において、
両方の側縁部が、前記被覆布部と前記支持布部とによって、袋状に構成されており、
中央付近におむつを差し入れるための開口部を備えていて、
この開口部の開口周縁の股部に対応した領域が伸縮部材により縁取りされた伸縮部とされている
ことを特徴とする、請求項１に記載のおむつカバー。
【請求項６】
おむつカバーを展開した状態において、
両方の側縁部が、前記被覆布部と前記支持布部とによって、袋状に構成されており、
中央付近におむつを差し入れるための開口部を備えていて、
この開口部の開口周縁の股部に対応した領域以外の領域が伸縮しないように構成されている
ことを特徴とする、請求項１に記載のおむつカバー。
【発明の詳細な説明】
【０００１】
【発明の属する技術分野】
この発明は、おむつを装着する際に使用するおむつカバーに係り、特に装着状態において尿漏れを防止するようにした、おむつカバーの改良に関するものである。
【０００２】
【従来の技術】
図７および図８は、従来のおむつカバーの一例を示している。
図７は、おむつカバー１を内側から見た展開図であり、図において、おむつカバー１は全体としてほぼＴ字状を呈している。
このおむつカバー１は、具体的には、その中心領域に位置する腰当て部２と、この腰当て部の両サイドからそれぞれ翼状に延びるようにこの腰当て部２に連設されたふたつの押さえ部３，４と、上記腰当て部から垂下するように、この腰当て部に連設された股当て部５と、この股当て部５から一体に垂下設された前当て部６とから構成されている。
【０００３】
このようなおむつカバー１は、図７に示すように、例えば紙おむつＰ１を配置し、図８に示すように、装着する。
つまり、図８に示すように、押さえ部３，４を内側に折り返して固定し、股当て部５付近を上方へ向かって折り返し、前当て部６によって使用者の下半身の前面を覆うようにして装着するようになっている。
これにより、このおむつカバー１は、装着者のおむつの外側を覆って、尿が外部に漏れることを防止するものである。
【０００４】
【発明が解決しようとする課題】
ところで、このようなおむつカバー１においては、上述のように装着した場合に、装着者が寝た姿勢で尿をすると、その尿の一部がおむつカバー１の腰付近の上端側から外に漏れ出ることがある。
このため、図７のおむつカバー１では、その上端付近にギャザー２ａを設けて、装着者の腰部に密着するようにするようにして、これをできるだけ防ぐようにしているが、なお充分ではない。
【０００５】
そこで、このようなおむつカバー１では、おむつＰ１以外に、そのやや上よりに第２のおむつＰ２を入れて、おむつカバー１を装着するようにしている。これにより、第１のおむつＰ１で吸収しきれなかった尿が、上部の第２のおむつＰ２に吸収されることで、外部に漏れ出ることを防止している。
【０００６】
しかしながら、このようにすると、おむつカバー１では、一回に２枚のおむつＰ１，Ｐ２を必要とし、不経済である。
また、おむつカバー１を装着すると、ギャザー部２ａが装着者の腰をしめつけるために、寝たきりの老人等では床擦れの原因となるという問題があった。
【０００７】
この発明は、以上の点を解決するためになされたもので、装着者の腰部を過度にしめつけることがないので、床擦れを防止でき、しかも１回に多数のおむつを使用する必要がない、おむつカバーを提供することを目的としている。
【０００８】
【課題を解決するための手段】
上記目的は、本発明によれば、おむつを収容し得る大きさを有する本体部と、本体部から両側方にむかってそれぞれ延びていて、内側にそれぞれ折り返すことによっておむつを押さえる押さえ部とを備えており、前記本体部は、前記おむつの一面をカバーすることができる被覆布部と、この被覆布部の少なくとも一部の周縁部に沿って配置され、前記被覆布部との間におむつの周縁部を挟んで支持する支持布部とを有していて、前記被覆布部は、おむつカバーの少なくとも上縁部を含む縁部において、継ぎ目が生じないように、この縁部を回り込んで配置されている、おむつカバーにより、達成される。
【０００９】
また、おむつカバーを展開した状態において、両方の側縁部が、前記被覆布部と前記支持布部とによって、袋状に構成されていてもよい。
【００１０】
また、おむつカバーを展開した状態において、前記支持布部が、その下端付近の隅部において開放されていてもよい。
【００１１】
さらにまた、おむつカバーを展開した状態において、前記支持布部の下端付近は、そのほぼ中央部が左右に開閉されるように構成されていてもよい。
【００１２】
また、おむつカバーを展開した状態において、両方の側縁部が、前記被覆布部と前記支持布部とによって、袋状に構成されており、中央付近におむつを差し入れるための開口部を備えていて、この開口部の開口周縁の股部に対応した領域が伸縮部材により縁取りされた伸縮部とされていてもよい。
さらにまた、おむつカバーを展開した状態において、両方の側縁部が、前記被覆布部と前記支持布部とによって、袋状に構成されており、中央付近におむつを差し入れるための開口部を備えていて、この開口部の開口周縁の股部に対応した領域以外の領域が伸縮しないように構成されていてもよい。
【００１３】
上記構成によれば、本体部には、被覆布部があって、おむつを収容した装着状態においては、おむつを外側から被覆する。
おむつは、この被覆布部に対して、支持布部により、その周縁を支持される状態で、装着者の下半身を包囲し、本体部の両側方に延びる押さえ部を内側に折り返すことで、固定される。
【００１４】
ここで、おむつカバーの上縁部には継ぎ目を生じないようにして、前記被覆布部がおむつカバーの上縁部をまわり込んで、配置されているから、被覆布部は、おむつの上縁部を液密的に包み込むことになる。
このため、おむつに完全にしみこまなかった尿は、おむつカバーの上端付近で阻止され、外部に漏れ出ることがない。
しかも、おむつカバーの上端付近から尿が漏れ出ることがないから、この部分にギャザー等の床擦れの原因となる構造を設ける必要がない。
尚、上述のおむつカバーの「上縁」とは、本願の図１の展開図において特定される上端位置を指すものである。
また、上記構成において、上記被覆布部は、おむつカバーの少なくとも上縁部を含む縁部において、継ぎ目が生じないように、この縁部を回り込んでいるものであるから、上縁部のみでなく、周縁部全体もしくは上縁部と、これ以外の周縁部の一部においても、継ぎ目がないように配置されていればよい。
【００１５】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、この発明を適用したおむつカバーの好適な実施形態を示す概略展開図であり、その内側を示している。
図示するように、おむつカバー１０は、展開状態において、全体がほぼＴ字状を呈しており、その本体１１の中央付近に位置する腰当て部１２と、この腰当て部１２の両サイドからそれぞれ翼状に延びるように、この腰当て部に連設された第１及び第２の押さえ部１３，１４と、上記腰当て部１２から垂下するように一体に連設された股当て部１５と、この股当て部から一体に垂下設された前当て部１６とを備えている。
【００１７】
おむつカバー１０の本体部にある腰当て部１２，股当て部１５，前当て部１６は、通常、一体に形成されるものであり、これらの各部には厳密な領域区分はない。
すなわち、腰当て部１２は、使用者がおむつカバー１０を装着する際にほぼその腰のあたりに接する。股当て部１５は腰部に続く股間領域を覆うようになっており、このため、展開状態ではその両サイド部は内側に緩い曲線を描くような形状を呈している。
前当て部１６は、股間に続く下腹部から、ウエストあたりまでを覆うようになっており、その上部の両サイドは股当て部からの曲線の延長を呈している。
【００１８】
前当て部１６の両側辺には、固定手段としての複数対の面ファスナー１６ａ，１６ｂが縫着等の手段により配設されている。これにより、後述するように、第１及び第２の押さえ部１３，１４に対して、固定できるようになっている。
【００１９】
これら腰当て部１２，股当て部１５，前当て部１６を有する本体１１は、おむつカバー１０の装着状態において、後述ように、おむつを包囲する被覆布部１７を構成している。この被覆布部１７は、表側が防水素材として、例えばポリエステル１００パーセントのエステルムースでなり、裏側（おむつ側）が、防水性と透湿性を備えた素材、例えばポリウレタンをラミネート加工した素材で形成されている。
【００２０】
図１に示すように、本体１１の被覆布部１７の周縁部に沿って、支持布部１８が設けられている。
支持布部１８は、例えば表側がポリエステル１００パーセントのエステル天竺等により形成されており、支持布部１８は、本体１１の周縁を縁取るにように配置され、その中央に大きな開口部１９を備えている。つまり、支持布部１８は、図１のＡ−Ａ線端面図である図２に示すように、被覆布部１７の周縁部に対して縫着等の手段によって固定されている。
これによって、図２に示されているように、本体１１の周縁部は、被覆布部１７と支持布部１８とによって、袋状に形成されており、後述するおむつＰを周縁部において挟み込んで支持できるようになっている。
【００２１】
上記開口部１９は、図１に示されているように、開口周縁の上側２６が飾り糸で縫い取りされていることで、伸縮しない非伸縮部となっている。また開口部１９の下側周縁で、装着者の股部に対応する領域２５は、オペロン等を縫い取りすることにより、伸縮し得る伸縮部となっている。
これにより、おむつカバー１０を装着したとき、使用者の股部に伸縮部２５が、フィットするようになっている。
また、非伸縮部２６を設けることにより、おむつカバーを装着したとき、使用者の腰部等に開口部１９の周縁部が位置しても、皺が寄った伸縮部材等が当たることがなく、床擦れの原因となることがないようになっている。
また、開口部１９に伸縮しない領域である非伸縮部２６を設けることで、開口部１９の上半分がその周縁に沿って引っ張られて皺がよったりすることがなく、後述するように、おむつＰを差し入れる作業がし易い。
【００２２】
さらに、支持布部１７は、図１に示すように、図において下端付近のふたつの隅部が、例えばＲ状に切欠かれて開放され、開放隅部１８ａ，１８ｂとなっている。
この開放隅部１８ａ，１８ｂには、支持布部１８と被覆布部１７との間にはさまれるおむつＰの下端の隅部Ｐａ，Ｐｂが露出するようになっている。
【００２３】
さらにまた、この支持布部１８の下端領域には、開口部１９の下端から、本体１１の下端にかけて切り離され形成された開閉部１８ｃが設けられている。この開閉部１８ｃに沿って、支持布部１８の下端領域は左右に開閉するようになっている。また、開閉部１８ｃは固定手段としての面ファスナー１８ｅにより開閉自在に着脱されるようになっている。
【００２４】
ここで、被覆布部１７は、図１のＢ−Ｂ線断面図である図３に示すように、裏面側から表面側に回り込むように配置されている。これによって、図１のおむつカバー１０の上端領域１７ａは、継ぎ目のない（縫い目のない）部分となり、回り込んだ被覆布部１７は、図１の１７ｂの箇所において、支持布部１８に対して縫着等の手段により、固定されている。
【００２５】
したがって、図３に示されているように、おむつカバー１０の上端領域１７ｂが縫い目のない袋状に形成されていることにより、おむつカバー１０内に収容されたおむつＰに吸収しきれなかった尿が、この上端領域１７ａから外部に漏れることがないようになっている。
【００２６】
押さえ部１３，１４は、腰当て部１２の両サイドから、図１に示すように、ほぼ翼状に一体的に延出している。一方の押さえ部１４の先端領域の内側には、図１に示すように面ファスナー１４ａが固定されている。また、押さえ部１３，１４の表面側は、例えば、好ましくは起毛パイル等の面ファスナーを固定しやすい材料で覆われている。押さえ部１３，１４の内側は例えばポリウレタンを積層した素材でなり、裏面側は、例えばエステル天竺等により形成されている。
【００２７】
本実施形態のおむつカバーは以上のように構成されており、次にその使用方法等について説明する。
図４に示すように、おむつカバー１０の支持布部１８の下端の開閉部１８ｃを開いて、おむつ，例えば紙おむつＰを内側へ入れる。
つまり、このおむつカバー１０では、支持布部１８の開口１９内におむつＰを差し込んで、被覆布部１７と支持布部１８との間におむつＰを挟み込む。これにより、おむつＰは、おむつカバー１０を装着した状態において、位置ずれを生じない。
この場合、開閉部１８ｃを開閉することにより、開口部１９内におむつＰを容易に差し込むことができる。
【００２８】
上記開口部１９内におむつＰを差しいれて、セットすると、図５に示す状態となる。
この状態では、おむつＰは、おむつカバー１０の周縁部に設けた袋状部分（図２参照）に、その周縁部を挟まれて位置決めされている。このおむつＰの中央部分は、開口部１９を介して、おむつカバー１０の内側に露出している。
さらに、おむつＰが図５に示すようにセットされた状態では、このおむつＰの左右下端部Ｐａ，Ｐｂは、支持布部１８の下端の各開放部１８ａ，１８ｂにて露出している。
【００２９】
したがって、おむつＰを使用者にセットするときは、先ず、左右の押さえ部１３，１４を内側に折り返す。次に、作業者は、このおむつＰの露出した左右下端部Ｐａ，Ｐｂを手で抑えつつ、おむつカバー本体１１の下端部側を上方へ折り返すようにする。この状態は図示されていないが、図８の従来の装着の仕方と同じであり、この時に、作業者は、図１の前当て部１６付近を上方にもっていき、装着者の前部に当てるようにして、押さえ部１４のパイル地等の表面に図１の面ファスナー１６ａ，１６ｂを固定する。この時に、作業者は、おむつＰの端部Ｐａ，Ｐｂを手で抑えながら作業できる。したがって、この作業の際にセットしたおむつＰが位置ずれを起こすことがない。
【００３０】
このようにして、装着者の下半身に装着した本実施形態のおむつカバー１０にあっては、おむつＰは、被覆布部１７と支持布部１８の間にセットされているので、位置ずれすることがなく、本体１１の側面側は、袋状になっているから、内側のおむつＰから排泄された尿が、側方へ漏れることはない。
【００３１】
しかも、おむつカバー１０の上端部である上端領域１７ａ（図１参照）は、図３に示されているように袋状となっていて、内側におむつＰが収容されている。したがって、この上端領域からも、排泄された尿が漏れ出ることがない。しかも、上縁部１７ａは、縫い目も存在しないように形成されている。このため、僅かな量の尿もこの上縁部１７ａから漏れることがなく、完全に封じられることになる。したがって、おむつカバーの腰付近に、従来のように余分におむつＰをあてがう必要がなく、１回分のおむつが従来の半分で済む。
さらに、おむつカバー１０の上端領域１７ａについて、上述のように尿漏れを完全に防止した結果。おむつカバー１０の上縁部に従来のようにギャザー構造を採用する必要がなくなった。
このため、おむつカバー１０を装着しても、装着者は、おむつカバー１０の上縁部において締めつけられることがなく、この部分のギャザーによって、従来のように床擦れが起こることも防止される。
【００３２】
さらに、おむつＰを取り替えるために、外す場合には、図６に示されているように、先ずおむつカバー１０を展開状態とする。
次に、支持布部１８の下端の開閉部１８ｃを左右に開くと、おむつＰの下端部が露出する。したがって、作業者は、この下端部を手に持って矢印の方向に引けば、汚れたおむつＰは簡単に外部に引き出される。
このように、おむつＰを取り替える際に汚れたおむつＰを簡単に外して取り出すことができる。
【００３３】
尚、上述した実施形態においては、主として老人用のおむつのおむつカバーについて説明したが、全く同一の構造にて、幼児のおむつに適用されるおむつカバーを構成できることは言うまでもない。
左右の押さえ部１３，１４や前当て部１６、開閉部１８ｃ等の固定手段として、上述の実施形態では、面ファスナーを採用しているが、スナップ等の他の固定手段を用いてもよい。
おむつＰは、紙おむつだけでなく、布おむつを使っても、本発明のおむつカバーを適用できる。
被覆布部１７や支持布部１８は、さらに多数の布を積層して構成してもよい。また、被覆布部１７や支持布部１８は、別の布でなく、同一の布で一体に形成してもよい。この場合、展開状態におけるおむつカバーの上端部だけでなく、全ての縁部に関して継ぎ目まいし縫い目がこないように被覆布部が折り返されていてもよく、また、上端部を含む他の縁部だけが折り返されていてもよい。
【００３４】
【発明の効果】
以上述べたように、本発明によれば、装着者の腰部を過度にしめつけることがないので、床擦れを防止でき、しかも１回に多数のおむつを使用する必要がない、おむつカバーを提供することができる。
【図面の簡単な説明】
【図１】本発明の好適な実施形態に係るおむつカバーの概略展開図である。
【図２】図１のおむつカバーのＡ−Ａ線端面図である。
【図３】図１のおむつカバーのＢ−Ｂ線断面図である。
【図４】図１のおむつカバーの使用方法を説明する図である。
【図５】図１のおむつカバーの使用方法を説明する図である。
【図６】図１のおむつカバーの使用方法を説明する図である。
【図７】従来のおむつカバーの一例を示す概略展開図である。
【図８】図７のおむつカバーの装着状態を示す図である。
【符号の説明】
１０・・・おむつカバー、１１・・・本体、１２・・・腰当て部、１３・・・第１の押さえ部、１４・・・第２の押さえ部、１５・・・股当て部、１６・・・前当て部、１７・・・被覆布部、１７ａ・・・上縁部、１８・・・支持布部、１８ａ，１８ｂ・・・開放部、１８ｃ・・・開閉部、１９・・・開口部、Ｐ・・・（紙）おむつ。
【図１】
0003662091.tif 000002
【図２】
0003662091.tif 000003
【図３】
0003662091.tif 000004
【図４】
0003662091.tif 000005
【図５】
0003662091.tif 000006
【図６】
0003662091.tif 000007
【図７】
0003662091.tif 000008
【図８】
0003662091.tif 000009